(57)【特許請求の範囲】
【請求項１】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の前記少なくとも１つのプロングの各プロングは、前記少なくとも１つのかえしの反対側に位置する隆条を含み、前記レセプタクル本体は、各プロングの前記隆条に接触して前記レセプタクル本体からの前記保持具の脱落を防止するように構成される桟を含む、装置。
【請求項２】
前記レセプタクル本体はレセプタクルを含む、請求項１に記載の装置。
【請求項３】
前記レセプタクルは雌型電気嵌合子を含む、請求項２に記載の装置。
【請求項４】
前記プラグは雄型電気嵌合子を含む、請求項３に記載の装置。
【請求項５】
前記レセプタクルは雄型電気嵌合子を含む、請求項２に記載の装置。
【請求項６】
前記プラグは雌型電気嵌合子を含む、請求項５に記載の装置。
【請求項７】
前記レセプタクル本体は、前記保持具の前記少なくとも１つのプロングに接触して前記少なくとも１つのプロングを前記プラグの前記シュラウドに向けて押しつけるテーパー付きの内壁を含む、請求項１に記載の装置。
【請求項８】
前記保持具の各プロングの前記少なくとも１つのかえしは、前記保持具の前記フェース部が前記レセプタクル本体に向けて押し込まれたときに前記プラグの前記シュラウドを解放するように構成される、請求項１に記載の装置。
【請求項９】
前記保持具は少なくとも４つのプロングを含む、請求項１に記載の装置。
【請求項１０】
各かえしは、前記プロングが前記保持具の前記フェース部から延在するとき、前記プロングから約１２０〜１５０度の角度で各プロングから延在する、請求項１に記載の装置。
【請求項１１】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記かえしは金属を含む、装置。
【請求項１２】
前記保持具の前記フェース部および前記少なくとも４つのプロングはプラスチックを含む、請求項１１に記載の装置。
【請求項１３】
前記レセプタクル本体は、各プロングの前記隆条に接触して前記レセプタクル本体からの前記保持具の脱落を防止するように構成される桟を含む、請求項１１に記載の装置。
【請求項１４】
前記レセプタクル本体は、前記保持具の前記少なくとも１つのプロングに接触して前記少なくとも１つのプロングを前記プラグの前記シュラウドに向けて押しつけるテーパー付きの内壁を含む、請求項１１に記載の装置。
【請求項１５】
前記保持具の各プロングの前記かえしは、前記保持具の前記フェース部が前記レセプタクル本体に向けて押し込まれたときに前記プラグの前記シュラウドを解放する、請求項１１に記載の装置。
【請求項１６】
各かえしは、前記プロングが前記保持具の前記フェース部から延在するとき、前記プロングから約１２０〜１５０度の角度で各プロングから延在する、請求項１１に記載の装置。
【請求項１７】
インレット機構内にコネクタを保持する装置であって、
雄型電気嵌合子を含むインレット機構と、
保持具とを含み、前記保持具はフェース部と少なくとも４つのプロングとを含み、前記少なくとも４つのプロングの各プロングは前記プロングの第１の側の金属のかえし、および前記プロングの第２の側の隆条を含み、前記保持具の前記少なくとも４つのプロングの各プロングの前記かえしによる前記コネクタのシュラウドとの接触によって前記インレット機構内に挿入された前記コネクタを保持するように前記保持具が構成される装置。
【請求項１８】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の前記少なくとも１つのプロングの各プロングは、前記少なくとも１つのかえしの反対側に位置する隆条を含み、前記レセプタクル本体は、前記保持具の前記少なくとも１つのプロングに接触して前記少なくとも１つのプロングを前記プラグの前記シュラウドに向けて押しつけるテーパー付きの内壁を含む、装置。
【請求項１９】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の各プロングの前記少なくとも１つのかえしは、前記保持具の前記フェース部が前記レセプタクル本体に向けて押し込まれたときに前記プラグの前記シュラウドを解放するように構成される、装置。
【請求項２０】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記レセプタクル本体は、各プロングの前記隆条に接触して前記レセプタクル本体からの前記保持具の脱落を防止するように構成される桟を含む、装置。
【請求項２１】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記レセプタクル本体は、前記保持具の前記少なくとも１つのプロングに接触して前記少なくとも１つのプロングを前記プラグの前記シュラウドに向けて押しつけるテーパー付きの内壁を含む、装置。
【請求項２２】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記保持具の各プロングの前記かえしは、前記保持具の前記フェース部が前記レセプタクル本体に向けて押し込まれたときに前記プラグの前記シュラウドを解放する、装置。 
【発明の詳細な説明】
【技術分野】
【０００１】
[0001]本開示は、概してコンピュータケーブルおよび電力ケーブルの分野に関し、より詳細にはレセプタクルにプラグを保持する装置に関する。
【背景技術】
【０００２】
[0002]多くの電子装置、特にコンピュータおよびデータ記憶機器は交流（ＡＣ）電源から電力を供給される。電力はＡＣ電源に接続される電源コードから供給される。典型的な電源コードは、ＡＣ電源に接続するプラグと、電子装置に接続する別の接続部とを含むケーブルを含みうる。電子装置の動作には、特にデータ記憶機器に関しては、それが電力を受けることが重要である。電子装置の効果的な動作に関する問題は、電源コードのプラグを不注意により、または意図的せずにＡＣ電源のレセプタクルから切断し、それによって電子装置への電力の供給を妨げてしまうことである。
【発明の概要】
【課題を解決するための手段】
【０００３】
[0003]したがって、本開示はレセプタクル内にプラグを保持する装置を対象とする。レセプタクル内にプラグを保持する装置はレセプタクル本体および保持具を含みうる。保持具はフェース部および少なくとも１つのプロングを含んでよく、少なくとも１つのプロングの各プロングは少なくとも１つのかえし（barb）を含みうる。保持具は、保持具の少なくとも１つのプロングの各プロングのかえしによるプラグのシュラウドとの接触によってレセプタクル本体内に挿入されるプラグを保持するように構成される。
【０００４】
[0004]上記の一般的な記述も以下の詳細な記述も例示的かつ説明的にすぎず、また必ずしも本開示を限定するわけではないことが理解されるべきである。添付図面は、本明細書に組み込まれてその一部を構成し、本開示の主題を例示する。全体として、記述および図面は本開示の原理を説明するのに役立つ。
【０００５】
[0005]本開示の多数の利点が、添付の図を参照することで当業者によってよりよく理解されるだろう。
【図面の簡単な説明】
【０００６】
【図１】本開示の実施形態に係るレセプタクルにプラグを保持する装置を表す。
【図２】本開示の実施形態に係るレセプタクルにプラグを保持する装置の別の図を表す。
【図３】本開示の実施形態に係る保持具を表す。
【図４】本開示の代替実施形態に係る保持具を表す。
【図５】本開示の付加の代替実施形態に係る保持具を表す。
【図６】本開示の実施形態に係る保持する装置に保持される例示的なプラグを表す。
【図７】本開示の実施形態に係るレセプタクルにプラグを保持する装置の保持位置における切欠図を表す。
【図８】本開示の実施形態に係るレセプタクルにプラグを保持する装置の解放位置における切欠図を表す。
【図９】本開示の実施形態に係るインレット機構にコネクタを保持する装置を表す。
【図１０】本開示の実施形態に係る保持する装置に保持される例示的なコネクタを表す。
【図１１】本開示の実施形態に係るレセプタクルにプラグを保持する装置を含むテーブルタップを表す。
【図１２】本開示の実施形態に係るレセプタクルにプラグを保持する装置およびインレット機構にコネクタを保持する装置を含むテーブルタップを表す。
【発明を実施するための形態】
【０００７】
[0006]以下、添付図面に例示される、開示される主題の詳細が参照される。
【０００８】
[0007]図１〜図１２を参照すると、様々な実施形態に係るレセプタクル内にプラグを保持する装置が図示される。レセプタクル内にプラグを保持する装置はレセプタクル本体および保持具を含みうる。保持具はフェース部および少なくとも１つのプロングを含んでよく、少なくとも１つのプロングの各プロングは少なくとも１つのかえし（barb）を含みうる。保持具は、保持具の少なくとも１つのプロングの各プロングのかえしによるプラグのシュラウドとの接触によってレセプタクル本体内に挿入されるプラグを保持するように構成される。
【０００９】
[0008]図１を詳細に参照すると、本開示の実施形態に係るレセプタクルにプラグを保持する装置１００が図示される。レセプタクル内にプラグを保持する装置１００はレセプタクル本体１１０および保持具１２０を含みうる。レセプタクル本体１１０はレセプタクル１１４を含みうる。代替実施形態において、レセプタクル本体１１０はレセプタクル１１４を包囲してもよい。保持具１２０はフェース部１２２および少なくとも１つのプロング１２４Ａ、１２４Ｂ、１２４Ｃおよび１２４Ｄを含みうる。図１に図示されるように、４つのプロングが含まれる。各プロング１２４Ａ〜１２４Ｄは少なくとも１つのかえし１２８および隆条（ridge）１３０を含みうる。かえし１２８はプロングの第１の側に設置されてよく、そして隆条１３０は第１の側の反対側、すなわちプロングの第２の側に設置されてもよいことが企図される。保持具１２０は、保持具１２０の各プロング１２４Ａ〜１２４Ｄのかえし１２８によるプラグのシュラウドとの接触によってレセプタクル本体１１０内に挿入されるプラグを保持するように構成される。
【００１０】
[0009]図１に図示されるように、レセプタクル１１４はレセプタクル本体の一部でありうる。レセプタクル１１４は、図１０に図示され、さらに説明されるような、コネクタと称されかつ呼ばれる雌型電気嵌合子（fitting）を含みうることが企図される。レセプタクル１１４はまた、図９に図示され、さらに説明されるような、インレット機構とも称されかつ呼ばれる雄型電気嵌合子を含んでもよいことも理解されるべきである。
【００１１】
[0010]レセプタクル本体１１０および保持具１２０は、プラスチック、複合材および金属を含む各種の剛性材料で形成されてもよい。プラスチックはエンジニアリンググレードでよく、またプラスチックは現地の安全要件に従ってもよいことが企図される。かえし１２８は本開示の一実施形態においてプラスチックで形成されてもよい。代替実施形態において、かえし１２８はステンレス鋼などの金属で形成されてもよい。
【００１２】
[0011]図２を参照すると、レセプタクルにプラグを保持する装置１００が、保持具１２０がレセプタクル本体１１０内に挿入された状態で図示される。保持具１２０はレセプタクル本体１１０内に挿入され、シュラウドにいかなる変更も必要とすることなくシュラウドでプラグを保持できることが企図される。
【００１３】
[0012]図３〜図５を参照すると、本開示の様々な実施形態に係る保持具１２０が図示される。保持具１２０は図５に図示されるように少なくとも１つのプロング１２４Ｂで実施可能でありうることが企図される。代替実施形態において、保持具１２０はそれぞれ図４および図３に図示されるような３つのプロング（１２４Ａ〜１２４Ｃ）および４つのプロング（１２４Ａ〜１２４Ｄ）を含みうる。加えて、保持具１２０は２つのプロングを含んでよく、または本開示の範囲および意図から逸脱することなく５つ以上のプロングを含みうる。少なくとも１つのプロングの配置は本開示の範囲および意図から逸脱することなく調整されてもよいことがさらに企図される。図３に図示されるように、４つのプロング１２４Ａ〜１２４Ｄは図６に図示されるようなプラグ２００のシュラウド２２０の角と接触するように配置されてもよい。しかしながら、プロング１２４Ａ〜１２４Ｄは図６に図示されるようなプラグ２００のシュラウド２２０の側面と接触するように配置されてもよいことが理解されるべきである。同様に、少なくとも１つのプロングの配置は、図６に図示されるようなプラグ２００のシュラウド２２０の１つまたは複数の角および１つまたは複数の側面と接触するように代替位置に設定されてもよい。
【００１４】
[0013]各プロング１２４Ａ〜１２４Ｄは少なくとも１つのかえし１２８および隆条１３０を含みうる。かえし１２８は、プラグのシュラウドと接触するように構成されるプロングから延在する突出を意味しうる。かえし１２８はステンレス鋼などの金属で形成されてよく、またプラスチックで形成されてプロングから突出してもよいことが企図される。かえし１２８はプラグの保持を増強するためにプロングから所望の角度で突出しうることが企図される。図３に図示されるように、一実施形態において、各プロングが保持具１２０のフェース部１２２から延在するとき、各かえしはプロングから約１２０〜１５０度の角度Θでプロングから延在する。プロングが保持具１２０のフェース部１２２から延在するときのプロングによる約１２０〜１５０度の所望の角度は、保持具１２０の１つまたは複数のプロングの１つまたは複数のかえしに適用されてもよい。
【００１５】
[0014]図６を参照すると、本開示の実施形態に係る保持する装置に保持される例示的なプラグ２００が図示される。プラグ２００はレセプタクル１１４などの対応する雌型嵌合子と電気接続するための雄型電気嵌合子を含みうる。プラグ２００はケーブル２３０と電気的に結合されてもよいことが企図される。プラグ２００はシュラウド２２０を含みうる。代替実施形態において、プラグ２００は、図９に図示および記載されるようなインレット機構ならびに図１０に図示および記載されるようなコネクタなど、対応する雄型嵌合子と電気接続するための雌型電気嵌合子を含みうる。
【００１６】
[0015]図７および図８を参照すると、プラグを保持する装置の切欠図が図示される。図７は、本開示の実施形態に係るレセプタクルにプラグを保持する装置の保持位置における切欠図を表す。図８は、本開示の実施形態に係るレセプタクルにプラグを保持する装置の解放位置における切欠図を表す。
【００１７】
[0016]図７に図示されるように、複数のプロングの各プロングのかえし１２８はシュラウド２２０に接触する。各プロングは、レセプタクル本体１１０のテーパー付きの壁部１３６によるプロングの別の側すなわち外側からの接触によってシュラウド２２０に向けて押しつけられる。見て分かるように、プラグが依然レセプタクルと電気接触しつつもレセプタクル本体１２０から引き出されるにつれて、テーパー付きの壁部１３６は各プロングにより大きい力をかける。プラグがレセプタクル本体から取り外されるにつれて、テーパー付きの壁部１３６すなわち傾斜面は本体における空間を縮小させる。これはより大きい力を保持具の各プロングに加えさせ、そして各プロングの各かえしをシュラウドと接触させる。プラグは保持具のプロング間で挟み込まれてレセプタクル本体内に保持され、これは締まりばめまたは接触ばめと称されてよい。
【００１８】
[0017]レセプタクル本体１１０は、保持具１２０の各プロングの隆条１３０に接触することによってレセプタクル本体１１０からの保持具１２０の脱落を防止するように構成される桟（ledge）１３４をさらに含む。プラグ２００がプラグを保持する装置から取り外されるべきときに、保持具１２０のフェース部１２２はレセプタクル本体１１０に向けて内側へ押し込まれる。保持具１２０をレセプタクル本体１１０に向けて押し込むことによって、保持具１２０のプロングによって引き起こされる閉塞は解放されうる。レセプタクル本体１１０のテーパー付きの壁部１３６はレセプタクル本体１１０の内部に向けてテーパーを付けられており、保持具１２０がレセプタクル本体１１０に向けて押し込まれるにつれてレセプタクル本体内の空間が拡大しうる。こうなると、レセプタクル本体１１０のテーパー付きの壁部１３６によって各プロングに加えられる力はより小さくなる。その結果、保持具１２０の各プロングの各かえし１２８はプラグ２００のシュラウド２２０を解放する。
【００１９】
[0018]図９および図１０を参照すると、本開示の実施形態に係るインレット機構２５０にコネクタ２６０を保持する装置３０５が図示される。インレット機構２５０は雄型電気嵌合子を含み、また雄型ピンを含みうること以外はレセプタクル１１０と同様でありうる。保持具１２０はインレット機構２５０とともに作用して、図１０に図示されるようなコネクタ２６０などの対応する雌型電気嵌合子を保持してもよい。保持具１２０の少なくとも１つのプロングのかえしがコネクタ２６０のシュラウドに接触および保持してもよいことが企図される。実施形態において、保持具１２０およびインレット機構２５０は、レセプタクル本体１１０に関して図７および図８に記載および図示されるような保持位置および解放位置を含みうる。
【００２０】
[0019]図１１を参照すると、本開示の実施形態に係るレセプタクルにプラグを保持する装置を含むテーブルタップ３００が図示される。テーブルタップ３００は複数の電子装置に電力を供給する複数のレセプタクル１１４を含みうる。プラグを保持する複数の装置１００がテーブルタップ３００において利用されてレセプタクルからのプラグの意図されない切断を防止してもよいことが企図される。保持具１２０のフェース部が１つまたは複数のタブ３１０を含みうることが企図される。１つまたは複数のタブ３１０によって、保持具へのより簡単な指によるアクセスで保持具をレセプタクル本体に向けて押し込み、プラグを取り外すことが可能になり得る。
【００２１】
[0020]図１２を参照すると、テーブルタップ３２０はレセプタクルにプラグを保持する装置１００を含んでよく、そして本開示の実施形態に係るインレット機構にコネクタを保持する装置３０５が図示される。複数の装置１００、３０５がテーブルタップ３２０において利用されてプラグまたはコネクタの意図されない切断を防止してもよいことが企図される。保持具１２０のフェース部が１つまたは複数のタブ３１０を含みうることが企図される。１つまたは複数のタブ３１０によって、保持具へのより簡単な指によるアクセスで保持具をレセプタクル本体に向けて押し込み、プラグを取り外すことが可能になり得る。
【００２２】
[0021]装置１００、３０５は従来技術に公知のロック付きレセプタクルに勝る多くの利点を提供しうることが企図される。従来のロック付きレセプタクルは専用のレセプタクルまたは専用のプラグを含みうる。専用のレセプタクルおよび専用のプラグは、複数のデータサーバに電力を提供するデータセンタにおいて利用されるテーブルタップなどの大規模配電システムにおいて、付加のコストを生じさせ、また電源コードを変更する柔軟性を低下させる。有利には、装置１００、３０５はデータサーバなどの電子機器の製造業者によって供給される電源コードとともに実施可能でありうる。
【００２３】
[0022]装置１００、３０５は、Ｃ１３、Ｃ１５、Ｃ１９およびＣ２１レセプタクルを含む、２５０ボルトまでの電気機器への電源コードの接続のためのロックなし機器用カプラおよび相互接続カプラを明記する国際電気標準会議からの規格一覧に関するＩＥＣ６０３２０カプラとともに実施可能でありうることが企図される。加えて、装置１００は、プラグのピンの少なくとも一部を包含するシュラウドを含む任意の種類のプラグとともに実施可能であってもよいことが企図される。また、装置３０５は任意の種類のシュラウド付きの雌型カプラとともに実施可能でありうる。
【００２４】
[0023]装置１００、３０５の付加の利点はラベルおよび異なる色を利用できることを含みうる。保持具１２０のフェース部１２２に色またはラベルなどの識別子を追加することによって、特に図１１および図１２に表されるようなテーブルタップ３００、３２０とともに実装されるときに、特定のレセプタクルがより容易に同定および選別されてもよい。
【００２５】
[0024]本開示およびその付随する利点の多くが以上の説明によって理解され、そして開示される主題から逸脱することなく、またはその本質的な利点のすべてを犠牲にすることなく、様々な変形が構成部品の形状、構造および配置においてなされてもよいことが明らかであろう。説明された形態は単に説明的にすぎず、上記のような変化を包摂し、含むことが以下の特許請求の範囲の意図である。
【図１】
0006276412.tif 000002
【図２】
0006276412.tif 000003
【図３】
0006276412.tif 000004
【図４】
0006276412.tif 000005
【図５】
0006276412.tif 000006
【図６】
0006276412.tif 000007
【図７】
0006276412.tif 000008
【図８】
0006276412.tif 000009
【図９】
0006276412.tif 000010
【図１０】
0006276412.tif 000011
【図１１】
0006276412.tif 000012
【図１２】
0006276412.tif 000013